(57)【特許請求の範囲】
【請求項１】
油タンクからバーナ１に至る燃料管２には、内部にフィルタ７を装着した燃料濾過器３と、その燃料濾過器３で濾過した燃料を吸引して前記バーナ１に送る燃料ポンプ４とを取付け、
前記燃料濾過器３の上部枠体３ａには、油タンクからの流入孔５と、前記燃料ポンプ４に接続する流出孔６と、流出孔６が内部に流入孔５が外部に位置するように装着した筒体で構成する前記フィルタ７とを設け、前記上部枠体３ａに装着する前記燃料濾過器３の下部枠体３ｂは、前記フィルタ７の外側に位置しながら油溜めを構成している石油燃焼機用の燃料濾過装置であって、
前記フィルタ７は、発水性のある合成樹脂を素材として、粒子径３０〜５０ミクロンに調整した合成樹脂パウダー７ａの接触面同志を加熱融合して、外表面が滑らかで内部に空隙があって一定の厚みのある発水性と濾過性を持たせており、
該フィルタ７の外表面と燃料濾過器３の下部枠体３ｂとの間隙には、フィルタ７の滑らかな外表面からはがれて下部枠体３ｂに溜った水を検知する水検知手段８を設け、
その水検知手段８の検知レベルは前記フィルタ７の上部よりも低いフィルタ７の側方に位置しており、前記水検知手段８が下部枠体３ａ内で前記フィルタ７の側方の水を検出した時に、前記燃料ポンプ４の運転を停止することを特徴とする発水・濾過フィルタの安全装置。
【請求項２】
燃料濾過器３の上部枠体３ａと下部枠体３ｂとは電気導電体で構成し、上部枠体３ａにはフィルタ７の外表面と下部枠体３ｂとの間隙にのぞませて外部に連なる取付孔９を設け、
前記水検知手段８は、電気導電体で構成した上部枠体３ａと下部枠体３ｂと、取付孔９の蓋部８ｂを貫通して先端がフィルタ７の外側方に位置する導電性のある検知電極８ａとの間の絶縁状態を監視して水の有無を検出する請求項１記載の発水・濾過フィルタの安全装置。
【請求項３】
前記燃料濾過器３のフィルタ７の側壁の外方に位置する否磁性体で形成した下部枠体３ｂの外側に磁気センサー１０を取付け、かつ、下部枠体３ｂの内方には水に浮いて油で沈むフロート１１を配置し、
該フロート１１には磁気体１１ａを装着し、フロート１１と一緒に移動する磁気体１１ａの位置を監視して水の有無を検出する請求項１記載の発水・濾過フィルタの安全装置。
【発明の詳細な説明】
【０００１】
【産業上の利用分野】
この発明は燃料中に混じる水を瀘過する燃料瀘過器を石油燃焼器に使用する為に必要な具体的な構造に関するものである。
【０００２】
【従来の技術】
燃料ポンプを用いる石油燃焼器は燃料ポンプが油タンクの燃料を吸い上げてバーナに供給しており、バーナに送られた燃料は燃焼ファンから送られる空気と混合して燃焼する。そして、もし油タンク内に混入したゴミや水が燃料ポンプに吸い込まれてバーナに供給される時には、燃料ポンプや燃料噴霧ノズルが詰まったり、水によって金属部分が錆び付いて錆による詰まりや作動不良を起こすものであった。
【０００３】
この為、石油燃焼器では燃料タンクから燃料ポンプまでの燃料管に油・水分離フィルタとゴミの通過を止める燃料瀘過器が備え付けられている。従来のゴミフィルタでは水の通過を阻止する良いものがなかったから、油・水分離フィルタとゴミフィルタを兼用することができず、燃料管の途中に油・水分離フィルタとゴミフィルタを別々に備え付けることが一般的であった。
【０００４】
このように二つのフィルタを備え付けることは部品点数が多くなり、二つのフィルタの為に大きな取付スペースが必要になるものであり、また、メンテナンスは夫々のフィルタに必要であるから非常に面倒なものであった。この為、従来では一つの燃料瀘過器の中に油・水分離フィルタとして機能する部分と通常のゴミフィルタとして機能する部分を併設した燃料フィルタの提案がある。（特開平５−１８１４号参照）
【０００５】
また、フィルタ単体で水とゴミとを一緒に漉取るフィルタの提案として、紙などの薄いフィルタ素材にシリコンを主成分とする発水材を含浸したものがあり、その他、発水性のある合成樹脂パウダーの接触する表面を熱融合させて通過間隙を構成してフィルタとしたものがあり（実開昭５７−１２０８３８号参照）、このフィルタを使うことによって水とゴミとを一緒に取り除く構造も開示されている。
【０００６】
【発明が解決しようとする課題】
しかし、紙などのフィルタ素材に発水処理をしたものは、使用中に発水材が取れてしまうものであり、また、フィルタ素材が薄い時には燃料ポンプの吸引力によってフィルタに付着していた水を吸引して通過させてしまう時があり、耐久性と瀘過性能に問題がある。一方、発水性のある合成樹脂パウダーの接触する表面を熱融合させて構成するフィルタは、一定の厚さがあるから燃料ポンプの吸引力によって水が通過しにくく、水とゴミとを一緒に漉取ることが可能になる。
【０００７】
一般にフィルタは網目にゴミがひっかかり、このひっかかったゴミによって燃料の通過間隙が狭くなって、瀘過性能が向上する仕組であり、発水性のある合成樹脂パウダーで瀘過材を形成する時にも、合成樹脂パウダーの表面張力によって水が玉状になってフィルタを瀘過できなくしている。そして、水の場合も細かいゴミと同様に一定の厚みのあるフィルタ内部の間隙にひっかかって通過できなくなるが、この時、ゴミの場合はひっかかったゴミ同志の間隙がフィルタとして機能しているが、水の場合はひっかかった水同志がくっついて間隙がなくなり、短期間で目詰まり状態を引き起こして燃料が通過できなくなる問題点がある。
【０００８】
先の提案で出願人は発水性のある合成樹脂パウダーの表面同志を重合してフィルタを構成する時に、合成樹脂パウダーとして発水性のある粒子径３０〜５０ミクロンの狭い範囲に調整した合成樹脂パウダーでフィルタを造ること、このフィルタの表面は従来公知のフィルタのようにザラザラした表面に仕上げるのではなくて、滑らかな表面に仕上げることを、特開平９−２３６２４７号によって開示している。
【０００９】
この提案による構造のフィルタにおいて、燃料中に浮遊して来た水がフィルタに付着しても、非常に狭い範囲に合成樹脂パウダーを調整したから、従来のフィルタのように水の分子が一定の厚みのあるフィルタ内部に侵入することなく、表面だけに付着するものであり、また、水が付着する表面が従来のようにザラザラでなくスベスベしているから、付着した水同志がくっついて大きくなればフィルタ表面から水がはがれ落ち易くなり、長期間に渡って良好な瀘過性能が維持できるようになった。
【００１０】
このような水とゴミとを漉取るフィルタを大きな油タンクの燃料取出口に取付ける時には全く問題なく使用することができるが、このフィルタを比較的小さな燃料瀘過器に組み込んだ時には、フィルタの外表面からはがれ落ちた水が溜って水位が上昇すると、水がフィルタに届く時がある。
【００１１】
そして、このような燃料瀘過器を燃料ポンプによって燃料を吸引する燃料供給システムに使う時において、溜った水の水位が上がってフィルタの外方に位置することで、水に触れないフィルタの燃料通過可能部分が狭くなってくると、燃料ポンプが合成樹脂パウダーの発水性に打ち勝ってフィルタ外側の水を吸引してバーナへ送るようになる。従って、このようなフィルタを燃料瀘過器に使用する時には、漉取って集まった水を頻繁に捨てるメンテナンスが必要になり、取扱性に問題が生まれた。
【００１２】
この発明は上記課題を解決するもので、油タンクからバーナ１に至る燃料管２には、内部にフィルタ７を装着した燃料濾過器３と、その燃料濾過器３で濾過した燃料を吸引して前記バーナ１に送る燃料ポンプ４とを取付け、前記燃料濾過器３の上部枠体３ａには、油タンクからの流入孔５と、前記燃料ポンプ４に接続する流出孔６と、流出孔６が内部に流入孔５が外部に位置するように装着した筒体で構成する前記フィルタ７とを設け、前記上部枠体３ａに装着する前記燃料濾過器３の下部枠体３ｂは、前記フィルタ７の外側に位置しながら油溜めを構成している石油燃焼機用の燃料濾過装置であって、
前記フィルタ７は、発水性のある合成樹脂を素材として、粒子径３０〜５０ミクロンに調整した合成樹脂パウダー７ａの接触面同志を加熱融合して、外表面が滑らかで内部に空隙があって一定の厚みのある発水性と濾過性を持たせており、
該フィルタ７の外表面と燃料濾過器３の下部枠体３ｂとの間隙には、フィルタ７の滑らかな外表面からはがれて下部枠体３ｂに溜った水を検知する水検知手段８を設け、
その水検知手段８の検知レベルは前記フィルタ７の上部よりも低いフィルタ７の側方に位置しており、前記水検知手段８が下部枠体３ａ内で前記フィルタ７の側方の水を検出した時に、前記燃料ポンプ４の運転を停止したから、燃料ポンプ４によって燃料を強制的にバーナ１に供給する時でも安心して発水・濾過フィルタが使用できるようになった。
【００１３】
また、燃料濾過器３の上部枠体３ａと下部枠体３ｂとは電気導電体で構成し、上部枠体３ａにはフィルタ７の外表面と下部枠体３ｂとの間隙にのぞませて外部に連なる取付孔９を設け、前記水検知手段８は、電気導電体で構成した上部枠体３ａと下部枠体３ｂと、取付孔９の蓋部８ｂを貫通して先端がフィルタ７の外側方に位置する導電性のある検知電極８ａとの間の絶縁状態を監視して水の有無を検出する構造としたから、フィルタ７の外表面と下部枠体３ｂの間に一本の検知電極８ａを上部枠体３ａから挿入することによって、簡単に水検知手段８が構成できるようになった。
【００１４】
更に、前記燃料濾過器３のフィルタ７の側壁の外方に位置する否磁性体で形成した下部枠体３ｂの外側に磁気センサー１０を取付け、かつ、下部枠体３ｂの内方には水に浮いて油で沈むフロート１１を配置し、該フロート１１には磁気体１１ａを装着し、該フロート１１と一緒に移動する磁気体１１ａの位置を監視して水の有無を検出する構造とすれば、従来品の燃料濾過器の下部枠体３ｂの中に磁石付きのフロート１１を入れ、下部枠体３ｂの外側に磁気センサー１０を配置するだけであるから、燃料濾過器本体の改造はほとんど必要なく実施できるものである。
【００１５】
【作用】
合成樹脂は射出成形に利用するための米粒大のペレットから微細な粉末まで製造可能であり、この中にはポリエチレンなどのように、素材が油で濡れた後では素材として発水性能が得られる合成樹脂がある。この発明はこのような発水性のある合成樹脂パウダー７ａに熱を加えて接触面同志を融合し、内部に空隙のあるフィルタを構成したものである。そして、合成樹脂パウダーの粒子径を３０〜５０ミクロンに調整し、外表面をスベスベになるように仕上げることによって、燃料中に含まれるゴミと水を一度に瀘過することができた。
【００１６】
そして、この瀘過フィルタ７の使用場所として、燃料ポンプ４の入口側に配置した燃料瀘過器３の中に組み込んで使用する時には、フィルタ７の外表面と燃料瀘過器３の下部枠体３ｂとの間隙に水検知手段８を設け、該水検知手段８が水の存在を検出した時には燃料ポンプ４の運転を停止することで、燃料瀘過器３に溜った水が強制的に燃料ポンプ４に吸引されて流れることを防止している。
【００１７】
【実施例】
実施例を示す図によってこの構成を説明すると、１は石油燃焼器のバーナ、２は図示せざる油タンクとバーナ１とを連結する燃料管、３は燃料管２の途中に配置した燃料瀘過器である。４は燃料瀘過器３とバーナ１とを連結する燃料管２に設けた燃料ポンプ、１２はバーナ１側の燃料管２の端に取付けた燃料噴霧ノズルであり、この発明の燃料瀘過器３はゴミと一緒に燃料に含まれる水を漉取ることができる構造になっている。
【００１８】
１３はバーナ１に燃焼空気を供給する燃焼ファンであり、石油燃焼器を運転する時には燃料ポンプ４が作動して、油タンクの燃料を吸い上げてバーナ１に供給しており、この時、燃料噴霧ノズル１２は供給された燃料を燃え易い霧状燃料にする。また、燃料ポンプ４と一緒に燃焼ファン１３が作動してバーナ１に燃焼空気を供給するから、霧状燃料は供給された燃焼空気によって完全燃焼する。
【００１９】
従来の燃料瀘過器は主としてゴミを漉取る機能だけであり、燃料瀘過器とは別に油タンクに近い燃料管に油・水分離フィルタを取付けている。燃料に交じった水やゴミは油・水分離フィルタと燃料瀘過器によって漉取られており、バーナに送られる燃料には水もゴミも交じっていないから、燃料ポンプや燃料噴霧ノズルがゴミによって詰まったり、水によって金属部分が錆び付いて詰まってしまったり、作動不良を起こすことを防止している。
【００２０】
この発明の燃料瀘過器３は水とゴミを一緒に漉取る機能を持ったものであり、部品点数の減少と取付スペースの減少に効果がある。従来のこのような目的のフィルタとして市販されているものは紙を使ったフィルタ素材にシリコンを主成分とする発水材を含浸して水をはじく性能を持たせたものであるが、紙のフィルタが完成した後で発水処理の工程が必要であるからコストが高くなり、また、長期間使うと含浸させた発水材の取れてしまい、耐久性の点で問題がある。
【００２１】
また、その他のフィルタとして、ポリエチレンなどのように油で濡れた後では発水性がある合成樹脂のパウダーを、接触面同志を加熱融合して内部に空隙があって一定の厚みのあるフィルタに構成したものがある。従来のフィルタはフィルタの表面や内部にひっかかったゴミによって通過間隙が狭くなって瀘過性能が向上する働きがあり、同様に、合成樹脂パウダーで造ったフィルタの網目を細かくすることで、合成樹脂パウダーの表面張力で水が玉状になって、ゴミと同じようにフィルタにひっかけて漉取ることも可能になる。
【００２２】
しかし、水の場合はゴミの時とは違ってひっかかった水同志がくっついてしまい、燃料の瀘過間隙がなくなってしまうという問題点がある。従って、このような合成樹脂パウダーを使うことによって水の瀘過も可能になるが、実際は水によって短期間に目詰まりを起こして使用できなくなるから、この方法でフィルタを造った時でも、網目の大きさを水は通過できる大きさとしてゴミフィルタとして利用しているものがある。
【００２３】
しかし、発水性のある合成樹脂パウダーを使うフィルタは、素材として発水性があるから、目詰まりさえ起こさなければ非常に良いフィルタとなり得るものであり、出願人は先の提案で、合成樹脂パウダーの粒子径を３０〜５０ミクロンの非常に狭い範囲のものだけに調整し、更に、フィルタの外表面を従来のフィルタのようなザラ付いたものではなく、滑らかな表面にすることを開示している。
【００２４】
このような粒子径の合成樹脂パウダーを使ってフィルタを造った時には、漉取られた水がフィルタの外表面だけに付着しており、しかも、水が付着する外表面はスベスベしているから、付着した水同志がくっついて大きくなれば容易にフィルタの外表面から離れて落下するから、長期間に渡って瀘過性能を維持できるようになったものである。
【００２５】
このフィルタを油タンクの燃料取出口に取付けた時には、水は油タンクの底面に溜って、フィルタには影響しないが、燃料管の途中に配置した燃料瀘過器のフィルタとして使用する時には、溜った水によって機器のトラブルが発生する問題点がある。
【００２６】
この発明は水とゴミを瀘過する燃料瀘過器３の上記のトラブルを防ぐ為の提案であり、５は燃料瀘過器３の油タンクからの流入口、６は燃料ポンプ４に接続する流出口である。３ａは流入口５と流出口６とが設けられた燃料瀘過器３の上部枠体、３ｂは上部枠体３ａの下方に着脱自在に取付けられた下部枠体、７は上部枠体３ａに取付けられて下部枠体３ｂ内に収納した有底筒体に形成したフィルタである。
【００２７】
３ｃは燃料瀘過器３の下部枠体３ｂとフィルタ７の間の空間に連通する上部枠体３ａに設けた空気抜きであり、該流入口５は燃料瀘過器３の下部枠体３ｂとフィルタ７の間に開口しているから、空気抜き３ｃを開くことで油タンクの燃料が燃料瀘過器３に流れることができる。また、流入口６は筒状のフィルタ７の内側に開口しており、フィルタ７を通過した燃料は燃料ポンプ４によってバーナ１に送られる。
【００２８】
７ａはフィルタ７を構成する発水性がある合成樹脂パウダーであり、該合成樹脂パウダー７ａは金型内に充填して高温度をかけることによって接触面同志が加熱融合し、一定の厚みがあって発水性と瀘過性を持ったフィルタ７を構成している。この合成樹脂パウダー７ａは粒子径３０〜５０ミクロンに狭い範囲に調整してあり、また、フィルタ７として仕上がった時には外表面がスベスベした滑らかな表面に仕上げている。
【００２９】
８は燃料瀘過器３の下部枠体３ｂとフィルタ７の間に配置した水検知手段であり、該水検知手段８が作動した時には前記燃料ポンプ４の運転を停止するように制御している。１４は石油燃焼器の枠体内に備え付けたコントローラであり、該コントローラ１４にはバーナ１の運転制御と共に、水検知手段８の水検知信号を受けて燃料ポンプ４を制御する部分を備えている。
【００３０】
油タンクから水が交じった燃料が送られた時には、この燃料は燃料瀘過器３の下部枠体３ｂとフィルタ７の間隔に流入し、この燃料がフィルタ７を通過する時に燃料に浮遊する水はフィルタ７の外表面に付着し、燃料だけが一定の厚みのあるフィルタ７内を通過して燃料ポンプ４に吸込まれ、バーナ１に送られる。この時、燃料に浮遊する水が多い時にはフィルタ７の外表面に付着する水が多くなって、この水はゴミと違って一緒にくっついて大きくなる性質があり、一定の大きさ以上になるとスベスベしたフィルタ７の外表面に付着続けることができなくなってはがれ落ちる。
【００３１】
このはがれ落ちた水は下部枠体３ｂ内に溜るものであり、石油燃焼器の使用に従って溜った水の水位が上昇してくる。そして、この水の水位がフィルタ７の側方に至りなおも上昇すると、水に触れていないフィルタ７部分が少なくなる。燃料は燃料ポンプ４の吸引力でフィルタ７を通過しているから、フィルタ７に一定の厚みがあって素材として発水性があっても、フィルタ７の燃料通過部分が少なくなってフィルタ７の内側の圧力が極端に低くなった時には、燃料ポンプ４は強制的に外側の水を吸引しバーナ１へ吐出することになる。
【００３２】
この状態は水を瀘過する機能が全くなくなった状態であるから、水によって燃料ポンプ４や燃料噴霧ノズル１２の金属部分が錆び付いて石油燃焼器の運転ができなくなり、また、多くのトラブルは燃料系全体に拡っているから、石油燃焼器本体のクレームになってしまうものである。
【００３３】
この発明の水検知手段８はこのような重大なトラブルになる前に、石油燃焼器の運転を停止して安全を確保するものであり、水検知手段８がフィルタ７の側方に高く水位が上がって来たことを検出すると、この信号をコントローラ１４に送り、燃料ポンプ４の運転を止めてしまうものである。この為、燃料瀘過器３内に溜った水が燃料ポンプ４の力で吸引される前に、石油燃焼器は運転を停止するからトラブルが燃料瀘過器３だけに留まり、重大なトラブルに波及することはなくなった。
【００３４】
９は下部枠体３ｂとフィルタ７の間隔に対応させて上部枠体３ａに設けた取付孔、８ａは上部枠体３ａの外方から取付孔９を貫通してフィルタ７の外側方にのぞませた検知電極、８ｂは検知電極８ａと取付孔９との間隔を密閉する蓋部であり、該蓋部８ｂには絶縁体を介在させている。前記上部枠体３ａと下部枠体３ｂを電気導電体で構成する時には検知電極８ａは一本でよく、検知電極８ａと枠体３ａ・３ｂの間に電圧をかけることによって、もし、溜った水の水位が上がると一本の検知電極８ａは枠体３ａ・３ｂとの間が絶縁状態から導通状態に変わるるから、この変化を検出することで水の溜った状態が検出できる。
【００３５】
他の実施例において、１１は下部枠体３ｂの内方に配設したフロートであり、該フロート１１は水に浮いて油で沈む比重に設定してあるから、下部枠体３ｂに溜った水の表面に浮いている。１１ａはフロート１１に装着した磁気体、１０は下部枠体３ｂに取付けた磁気センサーであり、下部枠体３ｂを否磁性体である合成樹脂などで構成した時には、燃料瀘過器３に溜った水によってフロート１１が移動し、磁気体１１ａが磁気センサー１０に近づくと磁気の変動を磁気センサー１０が検出して、燃料瀘過器３に水が溜ったことを検出できるものである。
【００３６】
この実施例においては、従来からある下部枠体３ｂに透明の合成樹脂を使ったゴミの為の燃料瀘過器を使い、フィルタ７を本件発明のものに取替え、磁気センサー１０と磁気体１０ａが付いたフロート１１を追加するだけでメカ部分が構成できるから、従来品を大きく設計変更する必要がなく、非常に安価に実施できるようになった。
【００３７】
一般に燃料に多量の水が交じることは極めて稀であり、普段は上部枠体３ａと下部枠体３ｂの間を着脱自在にしておくことによって、機器のメンテナンス時期に下部枠体３ｂを取外して溜った水を廃棄することで対応している。しかし、燃料によっては多量の水が混入している場合があり、このような燃料を使用した時にはメンテナンス直後であっても石油燃焼器のトラブルに発展してしまうものである。この発明は溜った水によって確実に燃料ポンプ４が停止する構成にしたから、一時的に石油燃焼器が停止しても大きなトラブルに発展することなく、燃料ポンプ４が停止した時のエラー番号によって、燃料瀘過器３のメンテナンスを行なうように指示しておけば、いつでも安心して石油燃焼器が使用できるようになったものである。
【００３８】
【発明の効果】
上記のように油タンク側ではなく、石油燃焼器の近傍に取付けた燃料瀘過器３にゴミと水の瀘過機能を持たせた時には、特定の粒子径に大きさを揃えた合成樹脂パウダー７ａを使い、外表面を滑らかに仕上げるフィルタ７を用いても、多量の水が混入した燃料を使った時には石油燃焼器本体のクレームが発生する恐れがあったが、この発明ではこのようなフィルタ７と水検知手段８とを組み合わせることによって、石油燃焼器のトラブルに発展することをはじめて防止できた。
【００３９】
また、通常の水の混入がほとんどない燃料を使う時には、水検知手段８は作動することなく、長期間に渡って安全に石油燃焼器が使用できるものであり、取扱者が定期的に燃料瀘過器３に水が溜っていないかチェックする必要がなくなり、非常に取扱易くなったものである。
【００４０】
また、水検知手段８の具体的な構成として、燃料瀘過器３の枠体３ａ・３ｂが電気導電体で構成した時には、一本の検知電極８ａを挿入するだけでよく。また、このように一本の電極であるなら小さな取付孔９でよく、一般的に使われているゴミに対応した燃料瀘過器３の上部枠体３ａの一部の設計変更だけで対応できるものであり、燃料ポンプ４を停止する構成はコントローラ１４の回路変更で対応できるから、簡単に実施できるものである。
【００４１】
更に、燃料瀘過器３の下部枠体３ｂを合成樹脂などの否磁性体で形成した時には、下部枠体３ｂ内に磁気体１１ａを取付けたフロート１１と、下部枠体３ｂの外側に磁気センサー１０を取付けることによってこの発明が実施できるものであり、燃料瀘過器３には手を加えることなく、コントローラ１４の一部の回路変更だけで実施できるから、既存の石油燃焼器にも簡単に適用できるものである。
【図面の簡単な説明】
【図１】この発明の実施例を示す燃料瀘過器の断面図である。
【図２】この発明に使用しているフィルタの要部断面図である。
【図３】この発明を装備した石油燃焼器の断面図である。
【図４】この発明の他の実施例を示す燃料瀘過器の断面図である。
【符号の説明】
１    バーナ
２    燃料管
３    燃料瀘過器
３ａ  上部枠体
３ｂ  下部枠体
４    燃料ポンプ
５    流入孔
６    流出孔
７    フィルタ
７ａ  合成樹脂パウダー
８    水検知手段
８ａ  検知電極
８ｂ  蓋部
９    取付孔
１０    磁気センサー
１１    フロート
１１ａ  磁気体
【図１】
0003858579.tif 000002
【図２】
0003858579.tif 000003
【図３】
0003858579.tif 000004
【図４】
0003858579.tif 000005